(57)【要約】【課題】使用者の好みに応じて表示内容の変更を可能とすることで、多くの使用者によって使用性の高いリモコンを備えた給湯機を提供すること。【解決手段】カランやシャワーへ給湯する給湯温度の設定を行う操作部と、少なくとも前記給湯温度、機器の運転状態を表示する表示部１とを有するリモコンを備え、前記操作部を特殊操作することで、前記表示部１の表示内容を、第一の表示モードと第二の表示モードとで変更する構成としたことを特徴とする給湯機で、使用者の要求により、表示モードを切り替えられるので、使用者にとって使用性の高いリモコンを備えた給湯機を提供できる。【選択図】図１
2012057861.tif 000002
【特許請求の範囲】
【請求項１】
カランやシャワーへ給湯する給湯温度の設定を行う操作部と、少なくとも前記給湯温度、機器の運転状態を表示する表示部とを有するリモコンを備え、前記操作部を特殊操作することで、前記表示部の表示内容を、第一の表示モードと第二の表示モードとで変更する構成としたことを特徴とする給湯機。
【請求項２】
前記表示部はドット表示部を有し、前記ドット表示部の表示内容はメニュー選択方式にて表示切り替えを行い、前記第一の表示モードと前記第二の表示モードとでは、前記ドット表示部に表示するメニューの選択数を変更する構成としたことを特徴とする請求項１に記載の給湯機。
【請求項３】
前記操作部は、前記操作部自体またはその近傍に機能名称が表示されており、前記第一の表示モードのときの前記操作部のスイッチ機能割付けと、前記第二の表示モードのときの前記操作部のスイッチ機能割付けとを変更することを特徴とする請求項１または２記載の給湯機。
【請求項４】
前記操作部の特殊操作を、前記操作部の複数スイッチの同時押し、または、前記複数スイッチの連続押しとしたことを特徴とする請求項１〜３のいずれか１項に記載の給湯機。
【発明の詳細な説明】
【技術分野】
【０００１】
本発明は、カランやシャワーからの給湯や、風呂湯張り、風呂保温運転などを行う給湯機に関するものである。
【背景技術】
【０００２】
従来、この種の給湯機のリモコンの表示部は、給湯機自身の高機能化によりリモコンでの表示項目が増えてきている。また、近年の省エネ志向の高まりにより省エネに関する情報を様々表示するようにもなって来た。
【０００３】
このため、表示部はドット表示素子を備えて、表示内容の充実が図られている。そして、表示内容の選択や給湯機の機能選択のための操作部としてスイッチを複数個配置されて、誰もが使い易いように改良が加えられている。例えば、ドット表示部と複数のスイッチをドット表示部の近傍に配置してタッチパネル相当の直感的な操作が可能になるように工夫されたものもある（例えば、特許文献１参照）。
【０００４】
また、給湯温度の設定（あつく、ぬるく）や浴槽水位の設定（高く、低く）などのスイッチの数を少なくするためには、機能ごとにスイッチを設けるのではなく、共通のスイッチで、機能を選択して設定する方法がある（例えば、特許文献２参照）。
【先行技術文献】
【特許文献】
【０００５】
【特許文献１】特開２００８−３０９３８７号公報
【特許文献２】特開２００４−２３２９９２号公報
【発明の概要】
【発明が解決しようとする課題】
【０００６】
しかしながら、給湯機は毎日使うものであり、前記従来の構成では、付加機能を追加して高機能化した給湯機リモコンは、機能を設定する項目や給湯機の状態を確認する項目が増えてきて操作が複雑になり、逆に給湯機本来の機能のみを使いたい使用者や高齢者にとっては使いづらいものとなっている。
【０００７】
また、機能ごとにスイッチを設けるのではなく、共通のスイッチで、機能を選択して設定する方法では、給湯機リモコンに配置されているスイッチの個数が減るためシンプルで使いやすく見えるが、機能によってスイッチの意味づけが変わるため、操作作法に慣れるまで使いづらいという課題があった。
【０００８】
また、給湯機本来の機能のみに絞った給湯機リモコンを開発するとなると、開発工数や投資の面で生産者側にも課題があった。
【０００９】
本発明は、前記従来の課題を解決するもので、使用者の好みに応じて表示内容の変更を可能とすることで、多くの使用者によって使用性の高いリモコンを備えた給湯機を提供することを目的とする。
【課題を解決するための手段】
【００１０】
前記従来の課題を解決するために本発明の給湯機は、カランやシャワーへ給湯する給湯温度の設定を行う操作部と、少なくとも前記給湯温度、機器の運転状態を表示する表示部とを有するリモコンを備え、前記操作部を特殊操作することで、前記表示部の表示内容を
、第一の表示モードと第二の表示モードとで変更する構成としたことを特徴とするものである。
【００１１】
そして、第一の表示モードとしては、付加機能を追加して高機能化した給湯機の様々な設定項目を選択したり、省エネに関する情報を表示したりと、一種の情報端末のように使える給湯機リモコンとして設定され、第二の表示モードは、給湯機本来の機能や情報に絞った簡単な表示モードに設定される。
【００１２】
これによって、一種の情報端末のように様々な表示内容の確認や、給湯機の機能を細かく好みの設定に変更したい場合と、給湯機本来の機能だけを簡単に使いこなしたい場合とを、同じ給湯リモコンを使って切り替えることが可能な、全ての使用者によって使用性の高いリモコンを備えた給湯機を提供できる。
【００１３】
また、新たに使用者の好みに合わせた給湯機リモコンを開発する必要も無いので、開発工数や費用の面で生産者側にもメリットがある。
【発明の効果】
【００１４】
本発明によれば、使用者の好みに応じて表示内容を変更できるので、多くの使用者によって使用性の高いリモコンを備えた給湯機を提供できる。
【図面の簡単な説明】
【００１５】
【図１】本発明の実施の形態１における給湯機リモコンの外観図
【図２】本発明の実施の形態１における給湯機リモコンのメニュー構成図
【図３】本発明の実施の形態１における給湯機リモコンのフローチャート
【図４】本発明の実施の形態２における給湯機リモコンの外観図
【発明を実施するための形態】
【００１６】
第１の発明は、カランやシャワーへ給湯する給湯温度の設定を行う操作部と、少なくとも前記給湯温度、機器の運転状態を表示する表示部とを有するリモコンを備え、前記操作部を特殊操作することで、前記表示部の表示内容を、第一の表示モードと第二の表示モードとで変更する構成としたことを特徴とする給湯機である。
【００１７】
これによって、一種の情報端末のように様々な表示内容の確認や、給湯機の機能を細かく好みの設定に変更したい場合と、給湯機本来の機能だけを簡単に使いこなしたい場合とを、同じ給湯リモコンを使って切り替えることが可能な、全ての使用者によって使用性の高いリモコンを備えた給湯機を提供できる。
【００１８】
また、新たに使用者の好みに合わせた給湯機リモコンを開発する必要も無いので、開発工数や費用の面で生産者側にもメリットがある。
【００１９】
第２の発明は、特に第１の発明において、前記表示部はドット表示部を有し、前記ドット表示部の表示内容はメニュー選択方式にて表示切り替えを行い、前記第一の表示モードと前記第二の表示モードとでは、前記ドット表示部に表示するメニューの選択数を変更する構成としたことを特徴とするものである。
【００２０】
そして、第一の表示モードとしては、付加機能を追加して高機能化した給湯機の様々な設定項目を選択したり、省エネに関する情報を表示したりと、全ての項目をメニュー方式で表示して給湯機リモコンとして設定され、第二の表示モードは、給湯機本来の機能や情報に絞ったメニュー項目数だけを表示する簡単な表示モードに設定される。
【００２１】
これによって、メニュー方式の選択画面に慣れていない使用者にとっても、第二の表示モードに切り替えることで、メニュー画面の項目数を減らすことができるので、操作方法に迷うことも無くなり、使い勝手を良くすることができる。
【００２２】
また、メニュー構成を変えた新しい給湯機リモコンを開発する必要も無いので、開発工数や費用の面で生産者側にもメリットがある。
【００２３】
第３の発明は、特に第１または第２の発明において、前記操作部は、前記操作部自体またはその近傍に機能名称が表示されており、前記第一の表示モードのときの前記操作部のスイッチ機能割付けと、前記第二の表示モードのときの前記操作部のスイッチ機能割付けとを変更することを特徴とするものである。
【００２４】
これによって、第一の表示モードとしては、付加機能を追加して高機能化した給湯機の様々な設定項目を選択したり、省エネに関する情報を表示したりと、全ての項目をメニュー方式で表示して給湯機リモコンとして設定され、第二の表示モードは、給湯機本来の機能や情報に絞ったスイッチを直接押すことで全てが機能する簡単な表示モードに設定される。そして、表示モードによって操作部を付け替えるだけでメニューによる選択方式と、ダイレクトにスイッチ操作で昨日動作させる方式と、全く違う操作作法のリモコンになる。
【００２５】
また、これによって、メニュー方式の選択画面に慣れていない使用者にとっても、第二の表示モードに切り替えることで、メニューを使うことなく給湯機の設定ができるので、操作方法に迷うことも無くなり、使い勝手を良くすることができる。
【００２６】
また、メニュー方式とダイレクト操作方式と構成を変えた新しい給湯機リモコンを開発する必要も無いので、開発工数や費用の面で生産者側にもメリットがある。
【００２７】
第４の発明は、特に第１〜第３のいずれかの発明において、前記操作部の特殊操作を、前記操作部の複数スイッチの同時押し、または、前記複数スイッチの連続押しとしたことを特徴とするもので、通常は使用者の誤操作などで表示モードが切り替わることが無いので、使い勝手を良くできる。
【００２８】
以下、本発明の実施の形態について、図面を参照しながら説明する。なお、この実施の形態によって本発明が限定されるものではない。
【００２９】
（実施の形態１）
図１は本発明の実施の形態１における給湯機リモコンの外観図を示すものである。本実施の形態では、貯湯式ヒートポンプ給湯機を遠隔操作する給湯機リモコンとして実施例を説明する。
【００３０】
図１において、１はドット表示部であり各種設定データや給湯機の機能に関する表示や省エネや使い方に関するナビゲーション表示などを行い、２はメニュースイッチであり設定メニューや各種情報の選択メニューの切り替えを行うためのスイッチで、３はアップスイッチ、４はダウンスイッチで各種設定のアップ／ダウンをしたりメニュー画面での項目選択をしたりするスイッチである。５は確定スイッチで、メニュースイッチ２とアップスイッチ３、ダウンスイッチ４で選んだ項目を決定するスイッチである。６はお知らせスイッチであり、給湯使用量や給湯機の貯湯タンクに残っているお湯の量や過去の省エネ度、推奨の沸き上げモードを表示するスイッチである。
【００３１】
７は沸き増しスイッチであり、給湯機の貯湯タンクのお湯が少なくなったときに操作す
るスイッチで、８は通話スイッチであり、台所などに設置される第一の給湯機リモコンと浴室に設置される第二の給湯機リモコン間でインターホン機能を行うスイッチで、９はふろ自動スイッチであり、浴槽への自動湯張りを行うスイッチである。
【００３２】
図２は本発明の実施の形態１における給湯機リモコンのメニュー構成図を示すものである。図３は本発明の実施の形態１における給湯機リモコンの表示モード切り替え動作のフローチャートを示すものである。
【００３３】
以上のように構成された給湯機リモコンの表示モードの切り替えについて、以下その動作、作用を図１〜図３を用いて説明する。
【００３４】
表示部１には通常、図１のような表示をしており、アップスイッチ３、ダウンスイッチ４により給湯温度を切り替えることができる。当初の４０度表示からアップスイッチ３を操作するたびに４１、４２、４３、・・・と高くなる。また、ダウンスイッチ４により３９、３８、３７、・・・と低くなる。このように、給湯機の基本機能の１つである給湯温度の変更に関しては誰にでも分かりやすく非常に使いやすい。
【００３５】
一方で、給湯機のもう１つの基本機能であるふろ湯張りの温度を変更しようとすると、メニュースイッチを押してメニュー項目の中に入っていかなければならない。具体的には、メニュースイッチ２を押すとメニュー画面が表示され図２の第一の表示モードのメニュー構成が表示部１に表示される。アップスイッチ３、ダウンスイッチ４を押して「ふろ機能」という選択項目を選んで確定スイッチ５を押すとふろ機能に関する選択項目が現れる。ここで、アップスイッチ３、ダウンスイッチ４を押して「ふろ温度」を選んで確定スイッチ５を押すとふろ温度を変更することができる。
【００３６】
このように、メニューの選択項目が非常にたくさんあり、様々な設定を細かく設定したい使用者にとっては利便性が良いが、一方でアップスイッチ３、ダウンスイッチ４で項目を選択し、メニューの階層深く入って行くため、操作に慣れるまではどの選択項目を選べばよいのか分かりにくく、非常に使いづらいものになっている。また、表示部１の表示画面に全ての選択項目が表示されないため、操作方法が迷いやすく慣れるまで使いづらい。
【００３７】
また、お知らせスイッチ６を操作すると、図２の第一の表示モードのお知らせの画面メニューが表示される。給湯使用量や給湯機の貯湯タンクに残っているお湯の量（使用可能湯量）や過去の省エネ度、推奨の沸き上げモードなど見たい項目をアップスイッチ３、ダウンスイッチ４で選択して項目を確定スイッチ５で確定して表示させる。
【００３８】
このように、第一の表示モードでは、高機能で選択、設定する項目が非常に多く、様々な情報を得ることが出来て利便性が良くなっている一方、操作が複雑なため、高齢者など操作に慣れるまで使いづらいものになっている。また、機能を絞りたい使用者にとっても選択項目が非常に多く使いづらいものになっている。
【００３９】
ここで、図３のフローチャートを元に表示モードの切り替え方法の説明を行う。操作部の複数スイッチとしてメニュースイッチ２、お知らせスイッチ６、確定スイッチ５、ふろ自動スイッチ９を同時押しされているかどうかを判定する（ステップ２１）。同時押しされていれば、所定時間（例えば１０秒）押されているかを判断する（ステップ２２）。所定時間同時押しされていれば、表示モードを切り替える。
【００４０】
このように、複数スイッチの所定時間連続して同時押しした場合に表示モードを切り替えるようにすることで、一般使用者が容易に切り替えることも無くなるので、突然表示が変わるといった不具合も無く、安心して使用できる。また、給湯機の基本機能に限った表
示で使いたい使用者には、前述の特殊操作をすることで表示モードを切り替えることができるので使い勝手を良くすることができる。
【００４１】
表示モードを切り替えて第二の表示モードの動作内容を図１、図２に従って説明する。まず、給湯温度の変更については第一の表示モードのときと同じであり直感的に分かりやすく使いやすくなっている。次に、給湯機のもう１つの基本機能であるふろ湯張りの温度を変更しようとすると、メニュースイッチを押してメニュー項目の中に入っていく。具体的には、メニュースイッチ２を押すとメニュー画面が表示され図２の第二の表示モードのメニュー構成が表示部１に表示される。
【００４２】
ここで、第一の表示モードのメニュー項目とは異なり給湯機の基本機能に絞った項目だけになっているため、項目の選択に迷うことも無く、使いやすくなっている。そして、メニューの項目も階層も少なくすることで、直感的なイメージがしやすくなり、高齢者などメニュー操作に慣れていない使用者でも違和感無く使えるものになっている。
【００４３】
また、お知らせスイッチ６を操作した場合も、図２の第二の表示モードのお知らせの画面メニューが表示される。給湯使用量や給湯機の貯湯タンクに残っているお湯の量（使用可能湯量）と本日の使用湯量のみ表示させるので、項目の選択に迷うことも無く、高齢者などにも使いやすく必要な情報のみ確認できるようになっており、使い勝手よく出来ている。
【００４４】
以上のように、特殊操作によって表示モードを切り替えることができるので、高機能、省エネ情報などの表示を見たい使用者には第一の表示モードを使い、給湯機の基本機能に限った表示情報だけでよい使用者には第二の表示モードを使うことができるので、使用者の嗜好に合わせた非常に満足のできる給湯機リモコンを提供できる。また、新たな給湯機リモコンを開発する工数や投資も必要ないため、生産者側としてもメリットがある。
【００４５】
（実施の形態２）
図４は本発明の実施の形態２における給湯機リモコンの外観図を示すものである。
【００４６】
本実施の形態では、貯湯式ヒートポンプ給湯機を遠隔操作する給湯機リモコンとして実施例を説明する。
【００４７】
図４において、１はドット表示部であり、１０はふろ温度設定スイッチであり、３はアップスイッチ、４はダウンスイッチで各種設定のアップ／ダウンをするスイッチである。１１はふろ予約スイッチでふろ湯張り運転の予約を行うスイッチである。１２は沸き上げモード設定スイッチであり、貯湯タンクに貯める湯水の量を決めるスイッチである。７は沸き増しスイッチであり、給湯機の貯湯タンクのお湯が少なくなったときに操作するスイッチで、８は通話スイッチであり、台所などに設置される第一の給湯機リモコンと浴室に設置される第二の給湯機リモコン間でインターホン機能を行うスイッチで、９はふろ自動スイッチであり、浴槽への自動湯張りを行うスイッチである。
【００４８】
外観は図１の給湯機リモコンと同じであるが、スイッチの名称を変更しており、スイッチを別部品で構成しており異なるスイッチのみを付け替える方式、または、スイッチの名称が表示されているリモコンのケース自身を付け替える方式がある。また、第一の表示モードでは図１、図２と同じ構成である。図３は給湯機リモコンの表示モード切り替え動作のフローチャートを示すものであり、本発明の実施の形態１と同じ構成である。
【００４９】
以上のように構成された給湯機リモコンの表示モードの切り替えについて、以下その動作、作用を図１〜図４を用いて説明する。
【００５０】
表示部１には通常、図１のような表示をしており、アップスイッチ３、ダウンスイッチ４により給湯温度を切り替えることができる。当初の４０度表示からアップスイッチ３を操作するたびに４１、４２、４３、・・・と高くなる。また、ダウンスイッチ４により３９、３８、３７、・・・と低くなる。このように、給湯機の基本機能の１つである給湯温度の変更に関しては誰にでも分かりやすく非常に使いやすい。
【００５１】
一方で、給湯機のもう１つの基本機能であるふろ湯張りの温度を変更しようとすると、メニュースイッチを押してメニュー項目の中に入っていかなければならない。具体的には、メニュースイッチ２を押すとメニュー画面が表示され図２の第一の表示モードのメニュー構成が表示部１に表示される。アップスイッチ３、ダウンスイッチ４を押して「ふろ機能」という選択項目を選んで確定スイッチ５を押すとふろ機能に関する選択項目が現れる。ここで、アップスイッチ３、ダウンスイッチ４を押して「ふろ温度」を選んで確定スイッチ５を押すとふろ温度を変更することができる。
【００５２】
このように、メニューの選択項目が非常にたくさんあり、様々な設定を細かく設定したい使用者にとっては利便性が良いが、一方でアップスイッチ３、ダウンスイッチ４で項目を選択し、メニューの階層深く入って行くため、操作に慣れるまではどの選択項目を選べばよいのか分かりにくく、非常に使いづらいものになっている。また、表示部１の表示画面に全ての選択項目が表示されないため、操作方法が迷いやすく慣れるまで使いづらい。
【００５３】
また、お知らせスイッチ６を操作すると、図２の第一の表示モードのお知らせの画面メニューが表示される。給湯使用量や給湯機の貯湯タンクに残っているお湯の量（使用可能湯量）や過去の省エネ度、推奨の沸き上げモードなど見たい項目をアップスイッチ３、ダウンスイッチ４で選択して項目を確定スイッチ５で確定して表示させる。
【００５４】
このように、第一の表示モードでは、高機能で選択、設定する項目が非常に多く、様々な情報を得ることが出来て利便性が良くなっている一方、操作が複雑なため、高齢者など操作に慣れるまで使いづらいものになっている。また、機能を絞りたい使用者にとっても選択項目が非常に多く使いづらいものになっている。
【００５５】
ここで、図３のフローチャートを元に表示モードの切り替え方法の説明を行う。操作部の複数スイッチとしてメニュースイッチ２、お知らせスイッチ６、確定スイッチ５、ふろ自動スイッチ９を同時押しされているかどうかを判定する（ステップ２１）。同時押しされていれば、所定時間（例えば１０秒）押されているかを判断する（ステップ２２）。所定時間同時押しされていれば、表示モードを切り替える。
【００５６】
このように、複数スイッチの所定時間連続して同時押しした場合に表示モードを切り替えるようにすることで、一般使用者が容易に切り替えることも無くなるので、突然表示が変わるといった不具合も無く、安心して使用できる。また、給湯機の基本機能に限った表示で使いたい使用者には、前述の特殊操作をすることで表示モードを切り替えることができるので使い勝手を良くすることができる。
【００５７】
第一の表示モードから第二の表示モードに表示を切り替えると、スイッチの機能名称が変わるため、スイッチを別部品で構成しており異なるスイッチのみを付け替える方式、または、スイッチの名称が表示されているリモコンのケース自身を付け替える方式がある。
【００５８】
表示モードを切り替えて第二の表示モードの動作内容を、図４に従って説明する。まず、給湯温度の変更については第一の表示モードのときと同じであり直感的に分かりやすく使いやすくなっている。次に、給湯機のもう１つの基本機能であるふろ湯張りの温度を変
更しようとすると、ふろ温度スイッチ１０を押す。表示部１はふろ温度を変更する画面に切り替わり、アップスイッチ３、ダウンスイッチ４でふろ温度を変えることができる。
【００５９】
このように、メニュー選択項目とは異なり給湯機の基本機能に絞った給湯機リモコンになったおり、かつ、直接スイッチ操作することでその機能の設定ができるので、選択に迷うことも無く、使いやすくなっている。また、直感的なイメージがしやすくなり、高齢者などメニュー操作に慣れていない使用者でも違和感無く使えるものになっている。
【００６０】
以上のように、特殊操作によって表示モードを切り替えるので、高機能、省エネ情報などの表示を見たい使用者には第一の表示モードの給湯リモコンを提供し、給湯機の基本機能に限った表示情報だけでよい使用者には第二の表示モードの給湯リモコンを提供することができるので、使用者の嗜好に合わせた非常に満足のできる給湯機リモコンを提供できる。また、新たな給湯機リモコンを開発する工数や投資も必要ないため、生産者側としてもメリットがある。
【産業上の利用可能性】
【００６１】
以上のように、本発明にかかる給湯機リモコンは、操作部の特殊操作によって第一の表示モードと第二の表示モードを切り替える構成として、高機能化と使いやすさを両立しているので、電気温水器やヒートポンプ式給湯機、ガス給湯機などの用途に適用できる。
【符号の説明】
【００６２】
１  ドット表示部
２  メニュースイッチ
３  アップスイッチ
４  ダウンスイッチ
５  確定スイッチ
６  お知らせスイッチ
７  沸き増しスイッチ
８  通話スイッチ
９  ふろ自動スイッチ
【図１】
2012057861.tif 000003
【図２】
2012057861.tif 000004
【図３】
2012057861.tif 000005
【図４】
2012057861.tif 000006